(57)【要約】【課題】機器設定やネットワーク設定を含む各種の設定を簡単に行うことができる通信機器を提供する。【解決手段】通信装置であって、認証情報、設定情報、機器属性情報のうち少なくとも１つが変換された画像を読み込む画像読込部（２次元バーコード入力部１１０）と、前記画像読込部から読み込んだ画像に基づいて認証情報、設定情報、機器属性情報のうち少なくとも１つを含む情報を取得する情報取得部（設定情報生成部１０２）と、前記情報取得部で取得した情報に基づいて、他の通信機器と通信を行う通信部（無線ＬＡＮインタフェース１０９）とを備える。【選択図】        図２
2007324926.tif 000002
【特許請求の範囲】
【請求項１】
認証情報、設定情報、機器属性情報のうち少なくとも１つが変換された画像を読み込む画像読込部と、
前記画像読込部から読み込んだ画像に基づいて認証情報、設定情報、機器属性情報のうち少なくとも１つを含む情報を取得する情報取得部と、
前記情報取得部で取得した情報に基づいて、他の通信機器と通信を行う通信部と
を備えることを特徴とする通信装置。
【請求項２】
前記画像読込部が読み込む画像は、少なくとも他の通信装置との通信設定に使用するＭＡＣ(Media Access Control)アドレス、ＰＩＮ（Personal Identification Number）コードを含む認証情報を変換したものであること
を特徴とする請求項１記載の通信装置。
【請求項３】
前記画像読込部が読み込む画像情報は、チューナ設定、画質設定、メール設定、無線セキュリティ設定、ブラウザ設定、プリンタ設定のうち少なくとも１つの設定情報を変換したものであること
を特徴とする請求項２記載の通信装置。
【請求項４】
暗号鍵を作成する暗号鍵作成部
をさらに備え、
前記通信部は、前記情報取得部で取得した情報に基づいて他の通信装置と仮接続による通信を行い、
前記暗号鍵作成部は、前記通信部が前記他の通信装置に仮接続している際に前記他の通信装置と鍵交換して暗号鍵を作成し、
前記通信部は、前記暗号鍵作成部が作成した暗号鍵を使用して前記他の通信装置と通信を行うこと
を特徴とする請求項１記載の通信装置。
【請求項５】
前記通信部による前記他の通信装置との通信により認証を行う認証部
をさらに備え、
前記通信部は、前記認証部による認証が成功したときに、前記他の通信装置との通信接続を行うこと
を特徴とする請求項１記載の通信装置。
【請求項６】
認証情報、設定情報、機器属性情報のうち少なくとも１つを含む情報から、新たな画像を作成する画像作成部と、
前記画像作成部が作成した画像を表示する表示部と
をさらに備えることを特徴とする請求項１記載の通信装置。
【発明の詳細な説明】
【技術分野】
【０００１】
本発明は、通信装置に関し、特に、画像情報に基づいて各種の設定を行う通信機器に関する。
【背景技術】
【０００２】
近年、ＰＣやモバイル機器の多機能化が進むにしたがって各種の設定の手順が複雑化し、一般ユーザにはわかりにくく、かつ煩雑になっている。そこで、このような設定を簡略化する方法が従来より提案されている。例えば、特開２００４−１４０５０２は、光学装置と接続する情報処理端末を使用し、入力するデータに対応する２次元バーコードを印刷媒体に記載し、これを光学装置で読み取ってデータを入力することによりデータ設定を簡略化する一方法を開示している。
【特許文献１】特開２００４−１４０５０２
【発明の開示】
【発明が解決しようとする課題】
【０００３】
しかしながら、上記した特許文献１は、機器設定やネットワーク設定の簡略化について具体的な手法を提案したものではない。
【０００４】
本発明はこのような課題に着目してなされたものであり、その目的とするところは、機器設定やネットワーク設定を含む各種の設定を簡単に行うことができる通信機器を提供することにある。
【課題を解決するための手段】
【０００５】
上記の目的を達成するために、本発明の第１の態様に係る通信機器は、設定情報が変換された画像情報を読み込む画像読込部と、前記画像読込部から読み込んだ画像情報に基づいて設定情報を取得する設定情報取得部と、前記設定情報取得部で取得した設定情報に基づいて、他の通信機器と通信を行う通信部とを備える。
【０００６】
また、本発明の第２の態様に係る通信機器は、第１の態様において、前記画像読込部が読み込む画像情報は、少なくとも他の通信装置との通信設定に使用するＭＡＣ(Media Access Control)アドレス、ＰＩＮ（Personal Identification Number）コードを含む設定情報（機器固有の識別情報を含む機器プロファイル情報）を変換したものである。
【０００７】
ここで、機器固有の識別情報を含む機器プロファイル情報はＸＭＬ形式で記載しても良い。
【０００８】
また、本発明の第３の態様に係る通信機器は、第２の態様において、前記画像読込部が読み込む画像情報は、チューナ設定、画質設定、メール設定、無線セキュリティ設定、ブラウザ設定、プリンタ設定のうち少なくとも１つの設定情報（機器の具備する属性情報を含む機器プロファイル情報）を変換したものである。
【０００９】
ここで、機器の具備する属性情報を含む機器プロファイル情報はＸＭＬ形式で記載しても良い。
【００１０】
また、本発明の第４の態様に係る通信機器は、第１の態様において、暗号鍵を作成する暗号鍵作成部をさらに備え、前記通信部は、前記変換部で変換した設定情報に基づいて他の通信装置と仮接続による通信を行い、前記暗号鍵作成部は、前記通信部が前記他の通信装置に仮接続している際に前記他の通信装置と鍵交換して暗号鍵を作成し、前記通信部は、前記暗号鍵作成部が作成した暗号鍵を使用して前記他の通信装置と通信を行う。
【００１１】
また、本発明の第５の態様に係る通信機器は、第１の態様において、前記通信部による前記他の通信装置との通信により認証を行う認証部をさらに備え、前記通信部は、前記認証部による認証が成功したときに、前記他の通信装置との通信接続を行う。
【００１２】
また、本発明の第６の態様に係る通信機器は、第１の態様において、前記設定情報から、新たな画像情報を作成する画像作成部と、前記画像作成部が作成した画像情報を表示する表示部とをさらに備える。
【発明の効果】
【００１３】
本発明によれば、機器設定やネットワーク設定を含む各種の設定を簡略化することが可能になる。
【発明を実施するための最良の形態】
【００１４】
以下、図面を参照して本発明の一実施形態を詳細に説明する。図１は、本実施形態の概念図であり、登録設定管理端末（設定情報を設定する側の端末）としてのモバイル端末６０と、被登録設定端末（設定情報が設定される側の端末）としての無線ルータ（インフラ機器）５１とが無線ＬＡＮなどの高速無線インタフェースを介して無線通信を行う処理を示している。ここでモバイル端末６０と無線ルータ５１とはBluetooth（登録商標）、ＵＷＢなどの短距離無線インタフェースやＥｔｈｅｒｎｅｔ（登録商標）、ＨＤＭＩなどの有線インタフェースを用いて通信を行ってもよい。
【００１５】
無線ルータ５１は、モバイル端末６０と無線通信を行うための無線ＬＡＮなどの高速無線インタフェースを備え、各家庭、各オフィス、あるいは各ホットスポットに設置されているものとする。この無線ルータ５１は、インターネット５０に接続されており、該無線ルータ５１の一部（裏面など）には２次元バーコード情報５１−１が印刷されたシールが貼り付けられているものとする。この２次元バーコード情報５１−１は、機器のシリアル番号、製品名、型番、メーカ名、イーサネット（登録商標）ＭＡＣアドレス、無線ＭＡＣアドレス、ＰＩＮ情報、無線の仮接続に必要な無線セキュリティ設定情報を含む。また、２次元バーコード情報５１−１は例えば、ルータなどの出荷時にシールとして機器に貼られるものとする。２次元バーコード情報の代わりに、１次元のバーコードなどの画像情報を用いてもよい。
【００１６】
ここで、２次元バーコード情報５１−１は設定情報を変換して得られる画像情報であるが、メールサーバのアドレスやメールアドレス、ＤＮＳサーバなどのプロバイダより提供されるサービス等に関する設定情報は、無線ルータ５１に貼られたものとは別に、例えば紙媒体などに印刷されて、ユーザに配布されてもよい。
【００１７】
また、モバイル端末６０は無線ルータ５１と無線通信を行うための無線ＬＡＮなどの高速無線インタフェースを備える。また、モバイル端末６０は無線ルータ５１の２次元バーコード情報５１−１を読み取るためのカメラ部６１を備えている。カメラ部６１の代わりにバーコードリーダを用いてもよい。
【００１８】
まず、モバイル端末６０は、画像読込部としてのカメラ部６１により無線ルータ５１の２次元バーコード情報５１−１を読み取って内部に取り込む（手順１）。
【００１９】
次に、モバイル端末６０は取り込んだバーコード情報に基づいて、高速無線インタフェースを用いて無線ルータ５１と仮接続する（手順２）。ここで仮接続とは、後述する本接続用の無線セキュリティ設定情報を交換するための一時的な接続を言う。次に本接続処理を行う。すなわち、仮接続において交換した無線セキュリティ設定情報を用いて通信を開始する（手順３）。
【００２０】
図１に示す手順１’〜３’は２台目以降の被登録設定端末の設定手順を示しており、基本的に１台目の機器の設定手順と同様である。しかし、後述するように１台目の設定手順で生成された無線セキュリティ設定情報を用いるので、当該情報の生成プロセスは省略される。
【００２１】
ここで交換される設定情報として、無線セキュリティ設定情報のほかに、ネットワーク設定（ＩＰアドレス設定、無線セキュリティ設定、メール設定、ブラウザ設定、プリンタ設定などを含む）や、機器設定（チューナ設定、録画機能設定、画質設定などを含む）をも含むものとする。
【００２２】
また、無線ルータ５１及びモバイル端末６０は上記した無線ＬＡＮなどの高速無線インタフェースに加えて、Bluetooth、ＵＷＢなどの短距離無線インタフェースを備え、この短距離無線インタフェースを用いて上記した仮接続および本接続を行うようにしても良い。
【００２３】
図２は、登録設定管理端末１００の構成と、被登録設定端末２００の構成を示す図である。登録設定管理端末１００は、ＧＵＩ（グラフィカルユーザインタフェース）１１１と、メイン制御部１０１と、設定情報生成部１０２と、登録プロトコル処理部１０３と、鍵共有処理部１０４と、ユーザ認証処理部１０５と、２次元バーコード処理部１０６と、転送制御部１０７と、ＥＡＰ（Extensible Authentication Protocol）処理部１０８と、無線ＬＡＮインタフェース１１２と、を備える。メイン制御部１０１には設定情報蓄積部１１３が接続されている。ＧＵＩ１１１には出力／表示装置１０８、入力装置（ボタンなど）１０９、２次元バーコード入力部（カメラ部）１１０が接続されている。
【００２４】
また、被登録設定端末２００は、ＧＵＩ（Graphical User Interface）２１１と、メイン制御部２０１と、設定情報生成部２０２と、登録プロトコル処理部２０３と、鍵共有処理部２０４と、ユーザ認証処理部２０５と、２次元バーコード処理部２０６と、転送制御部２０７と、ＥＡＰ（Extensible Authentication Protocol）処理部２０８と、無線ＬＡＮインタフェース２１２と、を備える。メイン制御２０１には設定情報蓄積部２１３が接続されている。ＧＵＩ２１０には出力／表示装置２０８、入力装置（ボタンなど）２０９が接続されている。２次元バーコード情報２０８−１は出力／表示装置２０８から出力あるいは表示される。また、２次元バーコード情報２０８−１は被登録設定端末にシールとして貼り付けられている。
【００２５】
図３は、被登録設定端末としての無線アクセスポイント（ＡＰ）７０の無線セキュリティ設定の手順を説明するための図である。ここで、アクセスポイントとは、一般的にＩＥＥＥ８０２．１１技術を用いて所定の周波数帯（例えば２．４ＧＨｚ）の無線電波に基づく無線通信機能と、ルーティング機能、ＮＡＴ（Ｎｅｔｗｏｒｋ  Ａｄｄｒｅｓｓ  Ｔｒａｎｓｌａｔｉｏｎ）機能等の通信制御機能とを備え、無線通信による同一ネットワーク内の他の端末やインターネット等の通信網を介して異なるネットワークとの接続を行なうものである。このアクセスポイントには複数の端末が接続可能であり、複数の端末は、無線通信で同時にアクセス可能であることから無線ＬＡＮアクセスポイントとも呼ばれている。
【００２６】
まず、登録設定管理端末としてのモバイル端末８０のカメラ部８１（図２の２次元バーコード入力部１１０）によって無線アクセスポイント７０にシールで貼り付けられた２次元パーコード情報７０−１を読み取って２次元バーコード処理部１０６に取り込む。ここで２次元バーコード処理を行うことにより、ＭＡＣアドレス、ＰＩＮコード等の機器プロファイル情報を取得する。
【００２７】
次に、登録設定管理端末１００の無線ＬＡＮインタフェース１１２と、被登録設定端末２００の無線ＬＡＮインタフェース２１２とを用いて通信相手を特定する探索動作を行う（手順２）。次に、取得した機器プロファイル情報を用いてユーザ認証処理部１０５において通信相手に対する認証処理を行う（手順３）。
【００２８】
次に、鍵共有処理部（暗号鍵生成部）１０４，２０４同士で、例えばDiffie-Hellman等の方式により鍵の交換を行って暗号化鍵を生成し、登録設定管理端末１００と被登録設定端末２００とが当該暗号化鍵を共有する（手順４）。
【００２９】
尚、本実施形態ではユーザ認証である手順３を行った後に鍵交換処理である手順４を行っているが、この順序は逆であっても良い。
【００３０】
次に、登録設定管理端末１００の設定情報生成部１０２又は被登録設定端末２００の設定情報生成部２０２において無線セキュリティ設定情報（ＷＥＰなどの暗号鍵、ＳＳＩＤなど）を自動的に生成する（手順５）。次に、この無線セキュリティ設定情報を、手順４で作成した暗号化鍵で暗号化した上で登録プロトコルにより転送する（手順６）。上記の仮接続において無線セキュリティ情報の設定が完了し、手順５で転送した無線セキュリティ設定情報を利用した本接続としての無線通信を開始する（手順７）。
【００３１】
図４は、２台目以降の機器に対する無線セキュリティ設定の第１の例を説明するため図である。ここでは２台目の被登録設定端末として、ネットワーク対応の情報家電機器５２、５３を想定し、様々な機器の設定を集中管理可能な登録設定管理端末として例えばバーコード読込可能なカメラ部８１を備えたモバイル端末８０を想定する。５２−１、５３−１は２次元バーコード情報である。
【００３２】
２台目に設定される被登録設定端末の無線セキュリティ情報の設定手順は、基本的に１台目に設定される無線セキュリティ情報の設定手順と同様であるが、２台目の機器に無線セキュリティ情報を設定する場合には、すでに１台目の設定で無線セキュリティ情報が設定されているので、当該無線セキュリティ設定情報の生成プロセス（自動発生）はない。
【００３３】
なお、無線セキュリティ設定情報の設定に加えて、手順１において取得した機器プロファイル情報を参照し、必要に応じてインターネットアクセス関連のネットワーク設定も自動的に行うことができる。
【００３４】
また、画像情報である２次元バーコード５２−１は、情報家電機器５２が必要としている設定情報（例えば、チューナ設定、画質設定は必要だが、メールアドレスの設定情報は不要、等の情報）に関する情報も、ＭＡＣアドレス等の機器プロファイル情報と合わせて、変換されたものであっても良い。必要としている設定情報に関する情報が２次元バーコード５２−１として記載されていれば、モバイル端末８０は、情報家電機器５２に必要とされている設定情報だけを転送すれば良い。
【００３５】
図５は、２台目以降の機器に対する無線セキュリティ設定の第２の例を説明するための図である。ここでは登録設定端末としてネットワーク対応の情報家電機器５４を想定し、被登録設定端末として例えばバーコード読込可能なカメラ部８１を備えたモバイル端末８０を想定する。ここでは図２の登録設定管理端末１００の構成を被登録設定端末の構成として用い、被登録設定端末２００の構成を登録設定管理端末の構成として用いることとする。
【００３６】
情報家電機器５４の表示部には２次元バーコード情報５４−１が画面表示されている。この２次元バーコード情報５４−１は、情報家電機器５４がネットワーク設定情報など各種機器の設定情報をあらかじめ手動設定または読み込み、この設定済みの設定情報をもとに生成した２次元バーコード情報を画像情報として表示部に表示したものである。
【００３７】
まず、モバイル端末８０のカメラ部８１としての２次元バーコード入力部１１０によって情報家電機器５４の表示部に表示された２次元バーコード情報５４−１を読み取り、２次元バーコード処理部１０６に取り込んで２次元バーコード処理を行う（手順１）。次に、設定情報生成部１０２において２次元バーコード情報５４−１をネットワーク設定情報に変換し、該ネットワーク設定情報を参照して、無線セキュリティ設定やインターネットアクセス関連のネットワーク設定を自動的に行う。以上の設定情報の転送、登録が完了したら、本接続に移行して無線通信を開始する（手順７）。この実施形態では、図３の手順１〜７のうち、手順２〜６が省略される。
【００３８】
図６は、セキュリティ設定情報を備えた登録設定管理端末としての公衆エリアにある無線アクセスポイント（ＡＰ）７０（ここではホットスポット(登録商標)）により被登録設定端末としてのモバイル端末の無線セキュリティ設定を行う手順を説明するための図である。ここでの無線アクセスポイント（ＡＰ）７０には、必要な無線セキュリティ設定情報があらかじめ格納されているものとする。また、登録設定端末として無線アクセスポイント７０を想定し、被登録設定端末として例えばバーコード読込可能なカメラ部８１を備えたモバイル端末８０を想定する。ここでは図２の登録設定管理端末１００の構成を被登録設定端末の構成として用い、被登録設定端末２００の構成を登録設定管理端末の構成として用いることとする。
【００３９】
まず、モバイル端末８０のカメラ部８１としての２次元バーコード入力部１１０によって無線アクセスポイント７０にシールで貼り付けられた２次元バーコード情報７０−１を読み取って２次元バーコード処理部１０６に取り込む。ここで、２次元バーコード情報は無線アクセスポイントにある表示画面や、無線アクセスポイント７０に接続されたＰＣなどの外部端末の表示画面から読み込みを行ってもよい。次に、登録設定管理端末１００の無線ＬＡＮインタフェース１１２と、被登録設定端末２００の無線ＬＡＮインタフェース２１２とを用いて通信相手を特定する探索動作を行う（手順２）。次に、取得した機器プロファイル情報に基づいてユーザ認証処理部１０５，２０５で通信相手に対する認証処理を行う（手順３）。
【００４０】
次に、鍵共有処理部１０４，２０４どうしで鍵の交換を行って暗号鍵を生成し、登録設定管理端末１００と被登録設定端末２００とが当該暗号化鍵を共有する（手順４）。
【００４１】
尚、本実施形態ではユーザ認証である手順３を行った後に鍵交換処理である手順４を行っているが、この順序は逆であっても良い。
【００４２】
次に、無線アクセスポイント７０にあらかじめ格納された無線セキュリティ設定情報を暗号化鍵で暗号化した後、当該無線セキュリティ設定情報を登録プロトコルにより転送する（手順６）。上記の仮接続において無線セキュリティ情報の設定が完了し、次の本接続において無線通信を開始する（手順７）。
【００４３】
なお、無線セキュリティ設定情報の設定に加えて、手順１において取得した機器プロファイル情報を参照し、必要に応じてインターネットアクセス関連のネットワーク設定も自動的に行うことができる。
【００４４】
以上、上記した実施形態によれば、無線ＬＡＮの設定に加えて、それ以外のネットワーク設定や機器設定を簡略化することが可能になる。
【図面の簡単な説明】
【００４５】
【図１】本発明の一実施形態の概念図である。
【図２】登録設定管理端末の構成と、被登録設定端末の構成を示す図である。
【図３】被登録設定端末としての無線アクセスポイントの無線セキュリティ設定の手順を説明するための図である。
【図４】２台目以降の機器に対する無線セキュリティ設定の第１の例を説明するため図である。
【図５】２台目以降の機器に対する無線セキュリティ設定の第２の例を説明するための図である。
【図６】登録設定管理端末としての無線アクセスポイントにより被登録設定端末としてのモバイル端末の無線セキュリティ設定を行う手順を説明するための図である。
【符号の説明】
【００４６】
５０  インターネット
５１  無線ルータ
５１−１  ２次元バーコード情報
５２  情報家電機器
５３  情報家電機器
６０  モバイル端末
６１  カメラ部
１００  登録設定管理端末
１０１，２０１  メイン制御部
１０２、２０２  設定情報生成部
１０３、２０３  登録プロトコル処理部
１０４、２０４  鍵共有処理部
１０５、２０５  ユーザ認証処理部
１０６、２０６  ２次元バーコード処理部
１０７、２０７  転送制御部
１０８、２０８  ＥＡＰ（Extensible Authentication Protocol）処理部
１１２、２１２  無線ＬＡＮ処理部
１１３、２１３  設定情報蓄積部
１１０  ２次元バーコード入力部
１１１  ＧＵＩ
２００  被登録設定端末
２０８  出力／表示装置
２０９  入力装置
【図１】
2007324926.tif 000003
【図２】
2007324926.tif 000004
【図３】
2007324926.tif 000005
【図４】
2007324926.tif 000006
【図５】
2007324926.tif 000007
【図６】
2007324926.tif 000008